(57)【要約】【課題】複数のレーザを有する光ピックアップ装置の小型化・薄型化・軽量化を図るとともに、各レーザの出力パワーを制御するための出力パワーモニタ用ユニットからの電気信号の調整範囲を広げ、各レーザについて安定したＡＰＣ動作を行うことのできる光ピックアップ装置を提供する。【解決手段】光源から出射される光ビームの一部であるレーザ光λ１、λ２を受光し受光量に応じた電気信号を出力する１つの出力モニタ用ユニット２０と、レーザ切替信号に応じてオン・オフするレーザ光λ１に対応した電子スイッチＳＷλ１と、前記レーザ切替信号をインバータ回路１９で反転させた信号でオン・オフするレーザ光λ２に対応した電子スイッチＳＷλ２と、電子スイッチＳＷλ１、ＳＷλ２に個別に接続され、前記電気信号の電圧調整をする出力調整用ボリュームＶＲλ１、ＶＲλ２を設ける。【選択図】      図１
2004342278.tif 000002
【特許請求の範囲】
【請求項１】
光源から出射される光ビームを情報記録媒体に照射する出射光学系と、前記情報記録媒体から反射される光ビームを受光する受光光学系が構成され、前記光源から出射される光ビームの一部を受光し受光量に応じた電気信号を出力する光検出部と、前記電気信号に基づいて前記光源の出力パワーを自動制御する自動出力制御回路部を備える光ピックアップ装置であって、
前記光源が複数のレーザから成り、前記自動出力制御回路部が前記複数のレーザの各レーザ毎に備えられ、該各レーザの出力パワーを個別に自動制御する光ピックアップ装置において、
前記光検出部を１つの受光部と該受光部で受光した光を前記電気信号に変換する電気信号変換部とが集積化された１つの出力パワーモニタ用ユニットにするとともに、該出力パワーモニタ用ユニットから出力される前記電気信号を前記複数のレーザの各レーザ毎に調整する電子回路部を設けたことを特徴とする光ピックアップ装置。
【請求項２】
前記電子回路部が、前記複数のレーザのうちで光ビームを出力する１つのレーザを切り替えるレーザ切替信号に応じてオン・オフする前記複数のレーザの各レーザに対応した複数の電子スイッチと、該複数の電子スイッチの各電子スイッチに個別に接続され前記出力パワーモニタ用ユニットを制御して該出力パワーモニタ用ユニットから出力される前記電気信号の電圧調整をする複数の可変抵抗器から成ることを特徴とする請求項１に記載の光ピックアップ装置。
【請求項３】
前記複数のレーザは２つのレーザであり、一方のレーザに対応した前記電子スイッチを前記レーザ切替信号でオン・オフし、他方のレーザに対応した電子スイッチを前記レーザ切替信号をインバータ回路で反転させた信号でオン・オフすることを特徴とする請求項２に記載の光ピックアップ装置。
【請求項４】
前記電子回路部が、前記出力パワーモニタ用ユニットを制御して該出力パワーモニタ用ユニットから出力される前記電気信号の電圧調整をする第１の可変抵抗器と、前記電気信号を分圧した分圧信号を生成する第２の可変抵抗器から成ることを特徴とする請求項１に記載の光ピックアップ装置。
【請求項５】
前記電子回路部が、前記出力パワーモニタ用ユニットを制御して該出力パワーモニタ用ユニットから出力される前記電気信号の電圧調整をする第１の可変抵抗器と、前記電気信号を第２の可変抵抗器に応じて増幅した増幅信号を生成する増幅回路部から成ることを特徴とする請求項１に記載の光ピックアップ装置。
【請求項６】
前記電子回路部が、前記出力パワーモニタ用ユニットを制御して該出力パワーモニタ用ユニットから出力される前記電気信号の電圧調整をする第１の可変抵抗器と、前記電気信号を分圧した分圧信号を生成する第２の可変抵抗器と、前記分圧信号を第３の可変抵抗器に応じて増幅した増幅信号を生成する増幅回路部から成ることを特徴とする請求項１に記載の光ピックアップ装置。
【請求項７】
前記電子回路部が、前記出力パワーモニタ用ユニットを制御して該出力パワーモニタ用ユニットから出力される前記電気信号の電圧調整をする第１の可変抵抗器と、前記電気信号を分圧した分圧信号を生成する第２の可変抵抗器と、前記分圧信号を第３の可変抵抗器に応じて増幅した増幅信号を生成する第１の増幅回路部と、前記電気信号を反転増幅する第２の増幅回路部と、第１の増幅回路部で増幅された前記増幅信号を反転増幅する第３の増幅回路部から成ることを特徴とする請求項１に記載の光ピックアップ装置。
【請求項８】
前記出力パワーモニタ用ユニットが有するオペアンプの出力端子に抵抗を接続したことを特徴とする請求項１〜請求項７のいずれかに記載の光ピックアップ装置。
【請求項９】
前記出力パワーモニタ用ユニットが有するオペアンプと前記増幅回路部が有するオペアンプの出力端子にそれぞれ抵抗を接続したことを特徴とする請求項５〜請求項７のいずれかに記載の光ピックアップ装置。
【請求項１０】
前記出力パワーモニタ用ユニットと前記可変抵抗器以外の電子回路部を集積化して１つの部品にしたことを特徴とする請求項２〜請求項９のいずれかに記載の光ピックアップ装置。
【請求項１１】
前記可変抵抗器が金属皮膜抵抗器であることを特徴とする請求項２〜請求項１０のいずれかに記載の光ピックアップ装置。
【請求項１２】
光源と受光素子が一体構成となった受発光ユニットを有し、前記出射光学系と受光光学系が一体で構成されたことを特徴とする請求項１〜請求項１１のいずれかに記載の光ピックアップ装置。
【発明の詳細な説明】
【０００１】
【発明の属する技術分野】
本発明は、光源から出射される光ビームを情報記録媒体に照射して記録情報を再生または記録するために用いる光ピックアップ装置に関するものであり、特に、フロントモニタ方式によって光源から出射される光ビームの光量を検出して、前記光源の出射パワーの自動制御を行う光ピックアップ装置に関するものである。
【０００２】
【従来の技術】
光ピックアップの光源として主に用いられている半導体レーザは、温度変動や経年変化によって出射パワーが変動するため、従来から、ＡＰＣ（Ａｕｔｏ  Ｐｏｗｅｒ  Ｃｏｎｔｒｏｌ）駆動によってパワー制御を行い、光ディスク等の情報記録媒体に対して照射される光ビームのパワーレベルの安定化を図ることが行われている。このＡＰＣの代表的な方式として、リアモニタ方式とフロントモニタ方式がよく知られている。
【０００３】
リアモニタ方式とは、半導体レーザの光出射端面とは反対側の端面からわずかに出射される光ビームをモニタする方式である。また、フロントモニタ方式とは、半導体レーザの光出射端面から出射される光ビームの一部をモニタする方式である。どちらの方式もモニタした光ビームの出力を半導体レーザの駆動回路にフィードバックして光ビームの出射パワーを一定に保つように制御されるが、リアモニタ方式は検出精度に問題があることから、一般的にはフロントモニタ方式の方が採用されている。
【０００４】
図１０は、従来のフロントモニタ方式を採用した光ピックアップ装置の概略構成を示す系統図である。図１０において、半導体レーザ１から出射された光ビームは、コリメータレンズ２により平行光にされ、ビームスプリッタ３に入射される。そして、ビームスプリッタ３を透過した光ビームは、１／４波長板４に導かれ、１／４波長板４を透過した光ビームは、立ち上げミラー５によって光ディスク（情報記録媒体）７の方向に導かれ、対物レンズ６によって光ディスク７の情報記録面上に集光されて、規定の大きさのビームスポットを形成する。
【０００５】
光ディスク７の情報記録面上に集光された光ビームは、光ディスク７によって反射され、対物レンズ６、立ち上げミラー５、１／４波長板４を介してビームスプリッタ３に入射される。このビームスプリッタは光ディスク７から反射してきた光ビームに対しては、ほぼ１００％反射する特性を有しているので、ビームスプリッタ３に入射された光ビームは、集光レンズ８及び光ビームに非点収差を与えるシリンドリカルレンズ９を経て、信号検出素子１０に導かれる。
【０００６】
一方、半導体レーザ１の近傍に配置されたフロントモニタ用光検出器１１は、半導体レーザ１から出射された光ビームのうち、コリメータレンズ２を通らない光ビームの一部を受け、受けた光ビームの光量に応じた電気信号を出力する。この電気信号は、半導体レーザ１のパワー制御を行うレーザ制御回路を含むＡＰＣ回路（自動出力制御回路部）１２に供給される。ＡＰＣ回路１２は、フロントモニタ用光検出器１１からの電気信号に応じて、半導体レーザ１を駆動するための最適な駆動信号を半導体レーザ１に供給する。このようにして、半導体レーザ１の出力パワーは、フロントモニタ用光検出器１１から出力される電気信号に基づいて、ＡＰＣ回路１２より生成される駆動信号によって制御される。
【０００７】
次に、光源である半導体レーザを複数個有し、他種類の光ディスクに対応できるようにした従来の光ピックアップ装置を説明する。図１１は、光源である２個の半導体レーザを有し、２種類の光ディスクに対応できるようにした従来の光ピックアップ装置の概略構成を示す系統図である。図１１において、図１０と同一の部分には同一の符号を付し、その説明を省略する。また、出射光学系及び受光光学系の基本構成は、図１０に示す光ピックアップ装置と同様であるので光路の説明は省略する。図１１に示す光ピックアップ装置が図１０に示す光ピックアップ装置と相違する点は、追加された半導体レーザ１’、それに伴い出射光学系にて半導体レーザ１’用のコリメータレンズ２’、ビームスプリッタ３’及び半導体レーザ１’の出力パワーを制御するためのフロントモニタ用光検出器１１’とＡＰＣ回路１２’である。ここで、メカ的に動いて光ディスク７の記録位置に追従するのは、光ピックアップヘッド１３である。
【０００８】
このような構成の光ピックアップ装置において、半導体レーザ１’の近傍に配置されたフロントモニタ用光検出器１１’は、半導体レーザ１’から出射された光ビームのうち、コリメータレンズ２’を通らない光ビームの一部を受け、受けた光ビームの光量に応じた電気信号を出力する。この電気信号は、半導体レーザ１’のパワー制御を行うレーザ制御回路を含むＡＰＣ回路（自動出力制御回路部）１２’に供給される。ＡＰＣ回路１２’は、フロントモニタ用光検出器１１’からの電気信号に応じて、半導体レーザ１’を駆動するための最適な駆動信号を半導体レーザ１’に供給する。このようにして、半導体レーザ１’の出力パワーは、フロントモニタ用光検出器１１’から出力される電気信号に基づいて、ＡＰＣ回路１２’より生成される駆動信号によって制御される。
【０００９】
このように、光源である半導体レーザを複数個有する光ピックアップ装置の場合、複数の半導体レーザの出力パワーの自動制御のためには、それぞれの半導体レーザが出力する光ビームを検出してフィードバックする図１１に示すフロントモニタ用光検出器１１、１１’のような複数のフロントモニタ用光検出器が必要とされる。
【００１０】
また、シャーシ上に、光磁気ディスクの半径方向に往復移動されて信号の記録及び再生を行なうピックアップ装置が配備され、ピックアップ装置には、光磁気ディスクに向けてレーザ光を発する半導体レーザと、半導体レーザから発せられるレーザ光のパワーをモニターするフロントモニターセンサーと、フロントモニターセンサーのモニター信号に基づいてレーザ光のパワーを自動制御するパワー制御回路とが搭載され、パワー制御回路は、フレキシブル配線シート上に形成された複数本の信号用配線パターンを介して、シャーシ上のメイン回路基板に連結されている光磁気ディスク記録再生装置において、前記フレキシブル配線シート上の複数本の信号用配線パターンの内、信号の供給に利用されていない１或いは複数本の信号用配線パターンをグランド用の配線パターンに変更して、複数本のグランド用配線パターンによってパワー制御回路のグランド端子が接地されているものもある（例えば、特許文献１参照）。
【００１１】
【特許文献１】
特開２００１−３５７５５６号公報
【００１２】
【発明が解決しようとする課題】
ところで、近年、パソコン装置等に搭載するために、光ピックアップ装置の薄型化が進んでいる。また、ＣＤやＤＶＤ等、異なる種類の光ディスクに対応できる光ピックアップ装置の要求も高まっており、前記光ピックアップヘッドに搭載される光学部品は増える一方であり、小型化・薄型化・軽量化が必須である。更に、各種光ディスクの記録・再生の高倍速化が進み、扱う信号も高速となっているため、回路部品においては、配線長は極力短くして、損失や誤動作をなくする必要がある。即ち、主要回路部品も前記光ピックアップヘッドに搭載しなければならず、光ピックアップヘッドにおける搭載部品レイアウト等の設計は困難さを増す一方である。
【００１３】
このような状況が進む中で、上述したフロントモニタ用光検出器は、受光部と電気信号変換部が集積化されて１つの部品となった出力パワーモニター用ユニットとして一般的に供給されるようになった。図１２は、そのような出力パワーモニタ用ユニットの概略構成を示す回路ブロック図である。図１２において、２０は出力パワーモニタ用ユニットであり、出力パワーモニタ用ユニット２０は受光部１４と電気信号変換部１５を備えている。受光部１４は受光素子であるフォトダイオード１４ａで構成され、電気信号信号変換部１５はオペアンプ１５ａ、１５ｂ、抵抗Ｒ１、Ｒ２、Ｒｆ１、Ｒｆ２から構成されている。また、出力パワーモニタ用ユニット２０は、出力電圧端子１６、基準電圧端子１７、調整端子１８ａ、１８ｂを備えており、調整端子１８ａ、１８ｂ間に出力調整用ボリュームＶＲが接続されている。
【００１４】
フォトダイオード１４ａのアノードは接地されており、カソードはオペアンプ１５ａの反転入力端子（−）に接続されている。また、オペアンプ１５ａの反転入力端子（−）と出力端子間に抵抗Ｒｆ１が接続され、オペアンプ１５ａの非反転入力端子（＋）は抵抗Ｒ１を介して調整端子１８ｂと基準電圧端子１７に接続されている。そして、オペアンプ１５ａの出力端子は抵抗Ｒ２を介してオペアンプ１５ｂの非反転入力端子（＋）に接続されている。また、オペアンプ１５ｂの反転入力端子（−）は調整端子１８ａと抵抗Ｒｆ２の一端に接続され、抵抗Ｒｆ２の他端はオペアンプ１５ｂの出力端子と出力電圧端子１６に接続されている。
【００１５】
このような構成の出力パワーモニタ用ユニット２０は、光源である半導体レーザから出力された光ビームの一部であるレーザ光をフォトダイオード１４ａで受光すると、受光量に応じた電気信号である出力電圧Ｖｏを出力する。その動作は以下のようにして行われる。フォトダイオード１４ａで受光した受光量に応じた電流がオペアンプ１５ａの出力端子から抵抗Ｒｆ１を介してフォトダイオード１４ａを流れる。このとき、オペアンプ１５ａの出力端子は、反転入力端子（−）の電圧が非反転入力端子（＋）に印加された電圧、即ち、基準電圧端子１７から与えられる基準電圧Ｖｒｅｆになるような電圧の出力電圧を発生する。即ち、Ｉ−Ｖ変換が行われる。そして、このオペアンプ１５ａの出力電圧が抵抗Ｒ２を介してオペアンプ１５ｂの非反転入力端子（＋）に与えられ、オペアンプ１５ｂは反転入力端子（−）の電圧がオペアンプ１５ａの出力電圧と等しくなるような出力電圧Ｖｏを発生する。即ち、電圧増幅が行われる。そして、出力電圧Ｖｏは上述したＡＰＣ回路に供給され、光源である半導体レーザの光量が自動調整される。
【００１６】
また、図１１に示す光ピックアップヘッド１３の調整・作製時において、出力パワーモニター用ユニット２０の調整端子１８ａ、１８ｂ間に取り付けられた出力調整用ボリュームＶＲの値を調整することにより、ＡＰＣ回路側から要求される数値範囲内に合わせ込む構成となっている。
【００１７】
しかしながら、図１１に示す光ピックアップ装置のように、光源である半導体レーザを複数個有する場合は、上述したように、一般的には各半導体レーザの出力パワーを制御するためのフロントモニタ用光検出器とＡＰＣ回路が半導体レーザの個数分だけそれぞれ必要となる。即ち、光ピックアップヘッドに搭載すべき出力パワーモニター用ユニット２０も半導体レーザの個数分必要となってくる。ここで、出力パワーモニター用ユニット２０の一般的な大きさは５．０ｍｍ×４．０ｍｍ程度、小さいものでも３．５ｍｍ×３．０ｍｍ程度はあるため、上述した薄型化対応の光ピックアップ装置における光ピックアップヘッドに出力パワーモニター用ユニット２０を複数個搭載するための設計は困難となる。よって、可能な限り出力パワーモニター用ユニット２０を１つで済ませるように設計検討されるが、今度は各半導体レーザの出力パワーを制御するために各ＡＰＣ回路にフィードバックされる電気信号を、各ＡＰＣ回路側から要求される数値範囲内に合わせ込む調整が困難となる。
【００１８】
例えば、図１１において、半導体レーザ１と半導体レーザ１’の両方の光ビームを受光できる位置は存在し、出力パワーモニタ用ユニット２０が１つであれば、その位置に配置は可能と考えられるが、図１２に示すように、出力パワーモニタ用ユニット２０には調整機構としての出力調整用ボリュームＶＲを１つしか有していない。即ち、出力パワーモニタ用ユニット２０が受光する各々の半導体レーザからの光量は、この１つの出力調整用ボリュームの調整可能範囲内に収まっている必要がある。この状態を実現するために、今度は受光量の調整が不可欠となり、結局、光ピックアップヘッドに受光量調整用の機構部品を設ける必要が生じ、やはり光ピックアップヘッドの設計は困難となる。
【００１９】
また、特許文献１に記載の従来技術では、パワー制御回路の基準電位の変動等を抑制して半導体レーザから発せられるレーザ光のパワーを精度良くＡＰＣ動作させることはできるが、複数の半導体レーザを有する場合には複数のフロントモニターセンサーが必要であり、この複数のフロントモニターセンサーが搭載される光ピックアップヘッドが大きくなり、光ピックアップ装置の小型化・薄型化・軽量化の要求に反することになるという問題があった。
【００２０】
本発明は、上記の点に鑑み、光源である半導体レーザを複数個有した場合においても、光ピックアップヘッドに搭載する出力パワーモニタ用ユニットを１つにして光ピックアップ装置の小型化・薄型化・軽量化を図るとともに、各半導体レーザの出力パワーを制御するための出力パワーモニタ用ユニットからの電気信号の調整範囲を広げ、各々の半導体レーザについて安定したＡＰＣ動作を行うことのできる光ピックアップ装置を提供することを目的とする。
【００２１】
【課題を解決するための手段】
上記目的を達成するために本発明は、光源から出射される光ビームを情報記録媒体に照射する出射光学系と、前記情報記録媒体から反射される光ビームを受光する受光光学系が構成され、前記光源から出射される光ビームの一部を受光し受光量に応じた電気信号を出力する光検出部と、前記電気信号に基づいて前記光源の出力パワーを自動制御する自動出力制御回路部を備える光ピックアップ装置であって、前記光源が複数のレーザから成り、前記自動出力制御回路部が前記複数のレーザの各レーザ毎に備えられ、該各レーザの出力パワーを個別に自動制御する光ピックアップ装置において、前記光検出部を１つの受光部と該受光部で受光した光を前記電気信号に変換する電気信号変換部とが集積化された１つの出力パワーモニタ用ユニットにするとともに、該出力パワーモニタ用ユニットから出力される前記電気信号を前記複数のレーザの各レーザ毎に調整する電子回路部を設けたものである。
【００２２】
このようにすると、光源であるレーザを複数個有した光ピックアップ装置においても、光ピックアップヘッドに搭載する出力パワーモニタ用ユニットを１つにして光ピックアップ装置の小型化・薄型化・軽量化を図るとともに、各レーザの出力パワーを個別に自動制御するための出力パワーモニタ用ユニットからの前記電気信号の調整範囲を広げ、各々のレーザについて安定したＡＰＣ動作を行うことができる。
【００２３】
また、例えば、前記電子回路部を、前記複数のレーザのうちで光ビームを出力する１つのレーザを切り替えるレーザ切替信号に応じてオン・オフする前記複数のレーザの各レーザに対応した複数の電子スイッチと、該複数の電子スイッチの各電子スイッチに個別に接続され前記出力パワーモニタ用ユニットを制御して該出力パワーモニタ用ユニットから出力される前記電気信号の電圧調整をする複数の可変抵抗器とで構成すると良い。
【００２４】
このようにすると、光ビームを出力するレーザに対応した１つの電子スイッチがオンすることにより、前記出力パワーモニタ用ユニットが、オンした電子スイッチに接続された可変抵抗器に応じた電圧の前記電気信号を出力するようにできる。
【００２５】
また、例えば、前記複数のレーザは２つのレーザであり、一方のレーザに対応した前記電子スイッチを前記レーザ切替信号でオン・オフし、他方のレーザに対応した電子スイッチを前記レーザ切替信号をインバータ回路で反転させた信号でオン・オフするようにすると、２つの電子スイッチのオン・オフ切替を簡単な構成で容易に行うことができる。
【００２６】
また、例えば、前記電子回路部を、前記出力パワーモニタ用ユニットを制御して該出力パワーモニタ用ユニットから出力される前記電気信号の電圧調整をする第１の可変抵抗器と、前記電気信号を分圧した分圧信号を生成する第２の可変抵抗器とで構成すると、少ない部品点数で前記電気信号の電圧調整を前記複数のレーザ毎に備えられた自動出力制御回路部毎に行うことができる。
【００２７】
また、例えば、前記電子回路部を、前記出力パワーモニタ用ユニットを制御して該出力パワーモニタ用ユニットから出力される前記電気信号の電圧調整をする第１の可変抵抗器と、前記電気信号を第２の可変抵抗器に応じて増幅した増幅信号を生成する増幅回路部とで構成すると、前記電気信号の電圧調整範囲を広げ、各々のレーザについて安定したＡＰＣ動作を行うことができる。
【００２８】
また、例えば、前記電子回路部を、前記出力パワーモニタ用ユニットを制御して該出力パワーモニタ用ユニットから出力される前記電気信号の電圧調整をする第１の可変抵抗器と、前記電気信号を分圧した分圧信号を生成する第２の可変抵抗器と、前記分圧信号を第３の可変抵抗器に応じて増幅した増幅信号を生成する増幅回路部とで構成すると、前記電気信号の電圧調整範囲を更に拡大することができ、各々のレーザについて安定したＡＰＣ動作を行うことができる。
【００２９】
また、例えば、前記電子回路部が、前記出力パワーモニタ用ユニットを制御して該出力パワーモニタ用ユニットから出力される前記電気信号の電圧調整をする第１の可変抵抗器と、前記電気信号を分圧した分圧信号を生成する第２の可変抵抗器と、前記分圧信号を第３の可変抵抗器に応じて増幅した増幅信号を生成する第１の増幅回路部と、前記電気信号を反転増幅する第２の増幅回路部と、第１の増幅回路部で増幅された前記増幅信号を反転増幅する第３の増幅回路部とで構成すると、前記電気信号の電圧調整範囲を広げるとともに、前記電気信号に混入したノイズを除去することができ、各々のレーザについて更に安定したＡＰＣ動作を行うことができる。
【００３０】
また、例えば、前記出力パワーモニタ用ユニットが有するオペアンプの出力端子に抵抗を接続すると、前記出力パワーモニタ用ユニットから出力される前記電気信号のリンギングやオーバーシュートを防ぎ、周波数特性を改善することができる。
【００３１】
また、例えば、前記出力パワーモニタ用ユニットが有するオペアンプと前記増幅回路部が有するオペアンプの出力端子にそれぞれ抵抗をすると、前記自動出力制御回路部に与えられる前記電気信号のリンギングやオーバーシュートを防ぎ、周波数特性を改善して安定したＡＰＣ動作を行うことができる。
【００３２】
また、例えば、前記出力パワーモニタ用ユニットと前記可変抵抗器以外の電子回路部を集積化して１つの部品にすると、更に光ピックアップ装置の小型化・薄型化・軽量化を図ることができる。
【００３３】
また、例えば、光源と受光素子が一体構成となった受発光ユニットを有し、前記出射光学系と受光光学系が一体で構成された光ピックアップ装置にすると、更に光ピックアップ装置の小型化・薄型化・軽量化を図ることができる。
【００３４】
【発明の実施の形態】
以下に、本発明の実施形態を図面を参照して説明する。図１は、本発明の第１実施形態の光ピックアップ装置の概略構成を示す回路ブロック図である。図１において、従来例の図１１及び図１２と同一の部分には同一の符号を付し、その説明を省略する。また、図１に示す光ピックアップ装置が有する出射光学系、受光光学系及びＡＰＣ回路１２、１２’は図１１と同一であるので図１への記載を省略している。
【００３５】
図１に示す光ピックアップ装置は、図１１に示す光ピックアップ装置と同様に、例えば、ＤＶＤとＣＤの両方の光ディスクに対応するために搭載された２つの半導体レーザ１、１’からの光ビームの一部であるレーザ光λ１、λ２を検出する光検出器である１つの出力パワーモニタ用ユニット２０を備えている。また、光ピックアップヘッド１３上の出力パワーモニタ用ユニット２０近傍に、出力調整用ボリューム（可変抵抗器）ＶＲλ１、ＶＲλ２、電子スイッチＳＷλ１、ＳＷλ２、及び、インバータ回路１９から成る電子回路部を備えている。
【００３６】
出力パワーモニタ用ユニット２０の調整端子１８ａ、１８ｂ間に、出力調整用ボリュームＶＲλ１と電子スイッチＳＷλ１との直列回路と、出力調整用ボリュームＶＲλ２と電子スイッチＳＷλ２との直列回路が並列に接続されている。また、電子スイッチＳＷλ１、ＳＷλ２は、光ビームを照射する光源を半導体レーザ１、１’のいずれかに切り替えるデジタル信号であるレーザ切替信号に応じてオン・オフ状態が制御され、例えば、レーザ切替信号がＬｏ（０Ｖ）のときにオン状態、Ｈｉ（５Ｖ）のときにオフ状態となる。そして、部品共通化による価格低減をねらい、電子スイッチＳＷλ１及びＳＷλ２は同じものを使用している。また、インバータ回路１９は、入力されるレーザ切替信号を反転させる機能を有し、その出力はＬｏ入力のときにＨｉ出力、Ｈｉ入力のときにＬｏ出力となり、レーザ切替信号で電子スイッチＳＷλ１が制御され、インバータ回路１９の出力で電子スイッチＳＷλ２が制御される。即ち、電子スイッチＳＷλ１、ＳＷλ２は互いに逆のオン・オフ状態になる。
【００３７】
また、２つの半導体レーザ１、１’の切り替えは、例えば、レーザ切替信号がＬｏのときに半導体レーザ１から光ビームが出射され、レーザ光λ１が出力パワーモニタ用ユニット２０の受光部１４に入射し、レーザ切替信号がＨｉのときに半導体レーザ１’から光ビームが出射され、レーザ光λ２が同じく出力パワーモニタ用ユニット２０の受光部１４に入射する。また、出力パワーモニタ用ユニット２０の基準電圧端子１７には、図示しない基準電圧生成部から基準電圧Ｖｒｅｆが与えられている。
【００３８】
このような構成の図１に示す光ピックアップ装置の動作を説明する。先ず、半導体レーザ１が使用される場合を説明する。レーザ切替信号はＬｏになり、図示しないレーザ駆動回路部が半導体レーザ１を発光させる。また、電子スイッチＳＷλ１の制御端子に、このレーザ切替信号のＬｏ信号が加わって電子スイッチＳＷλ１はオン状態になる。同時に、電子スイッチＳＷλ２の制御端子には、インバータ回路１９を通過してＬｏからＨｉに反転したレーザ切替信号が加わって、電子スイッチＳＷλ２はオフ状態となる。そして、半導体レーザ１から出射された光ビームの一部でコリメータレンズ２を通らない光であるレーザ光λ１を、出力パワーモニタ用ユニット２０の受光部１４にて受光する。
【００３９】
受光した光は、出力パワーモニタ用ユニット２０内の電気信号変換部１５（図１２参照）にて受光量に応じた電気信号である出力電圧として出力電圧端子１６から出力されるが、上述した通り、この出力電圧は光ピックアップヘッド１３の調整・作製時点で、光ピックアップヘッド１３の外部に設けられたＡＰＣ回路側から要求される数値範囲内に合わせ込む必要がある。ここで、先に示した通り、半導体レーザ１が使用される場合には電子スイッチＳＷλ１のみオン状態となるため、出力パワーモニタ用ユニット２０の外部に取り付けられた出力調整用ボリュームＶＲλ１のみ有効な状態となっている。よって、光ピックアップヘッド１３の調整・作製時に出力調整用ボリュームＶＲλ１の値を調整することにより、レーザ光λ１に対応した調整後出力電圧Ｖｏλ１を得ることができる。
【００４０】
次に、半導体レーザ１’が使用される場合を説明する。このときは、レーザ切替信号はＨｉとなり、図示しないレーザ駆動回路部が半導体レーザ１’を発光させる。また、電子スイッチＳＷλ１の制御端子にＨｉ信号が加わって電子スイッチＳＷλ１はオフ状態となる。同時に、電子スイッチＳＷλ２の制御端子には、インバータ回路を通過してＨｉからＬｏに反転したレーザ切り替え信号が加わって、電子スイッチＳＷλ２はオン状態となる。即ち、半導体レーザ１’が使用される場合には電子スイッチＳＷλ２のみオン状態となるため、出力パワーモニタ用ユニット２０の外部に取り付けられた出力調整用ボリュームＶＲλ２のみ有効な状態となっている。よって、上述した半導体レーザ１が使用される場合と同様に、光ピックアップヘッド１３の調整・作製時に、出力調整用ボリュームＶＲλ２の値を調整することにより、レーザ光λ２に対応した調整後出力電圧Ｖｏλ２を得ることができる。
【００４１】
そして、出力パワーモニタ用ユニット２０の出力信号線を二分割して、調整後出力電圧Ｖｏλ１用及び調整後出力電圧Ｖｏλ２用として光ピックアップヘッド１３から引き出せば、光ピックアップヘッド１３外部にて半導体レーザ１用、半導体レーザ１’用として独立に用意したＡＰＣ回路１２、１２’に、調整後出力電圧Ｖｏλ１及び調整後出力電圧Ｖｏλ２をそれぞれ伝達することができ、ＡＰＣ回路１２，１２’を用いて半導体レーザ１、及び１’の光ビームの出力パワーの安定制御が可能となる。
【００４２】
次に、図１２を用いて具体的な調整範囲について説明する。図１２において、レーザ光が受光部１４とオペアンプ１５ａによりＩ−Ｖ変換された直後のオペアンプ１５ａの出力をＶｉとすると、このＶｉがオペアンプ１５ｂにて増幅されて、最終的に出力電圧Ｖｏが得られる。これらの関係を式で示すと、下記の（式１）または（式２）のようになる。
【００４３】
Ｖｏ＝（１＋Ｒｆ２／ＶＲ）（Ｖｉ−Ｖｒｅｆ）＋Ｖｒｅｆ  ・・・（式１）
Ｖｏ−Ｖｒｅｆ＝（１＋Ｒｆ２／ＶＲ）（Ｖｉ−Ｖｒｅｆ）  ・・・（式２）
【００４４】
半導体レーザが発光していない、即ち、出力パワーモニタ用ユニット２０の受光量が０の場合、Ｖｉは基準電圧Ｖｒｅｆに等しく、よって、（式１）より、出力電圧Ｖｏもまた基準電圧Ｖｒｅｆに等しくなる。半導体レーザが発光すると、Ｖｉは基準電圧Ｖｒｅｆから変化し、同様に出力電圧Ｖｏもまた基準電圧Ｖｒｅｆから変化する。その変化量、即ち、受光量による出力変化量（Ｖｏ−Ｖｒｅｆ）は、受光量によるＶｉの変化量（Ｖｉ−Ｖｒｅｆ）を（１＋Ｒｆ２／ＶＲ）倍した値となることが（式２）より理解できる。
【００４５】
数値例として、例えば、Ｒｆ２＝２．４ｋΩ、増幅回路が安定動作するＶＲの範囲が４００〜１．８ｋΩ程度とする。調整前のＶＲ値を、調整可能範囲である４００〜１．８ｋΩの中間の値、即ち、１．１ｋΩとして出力信号に応じてＶＲ値の増減を行うとする。ＶＲ＝１．１ｋΩのときの出力を１とすると、調整可能範囲４００〜１．８ｋΩでの出力の変化は、下記の（式３）及び（式４）のようになる。
【００４６】
（１＋２．４ｋΩ／１．８ｋΩ）／（１＋２．４ｋΩ／１．１ｋΩ）＝０．７３  ・・・（式３）
（１＋２．４ｋΩ／４００Ω）／（１＋２．４ｋΩ／１．１ｋΩ）＝２．２０・・・（式４）
【００４７】
（式３）及び（式４）より、ＶＲ＝１．１ｋΩのときの出力電圧の０．７３〜２．２０倍の範囲で調整可能となる。また、この結果より、（最大出力電圧値／最小出力電圧値）は、２．２０／０．７３＝３．０１となることがわかる。
【００４８】
このように、本実施例ではレーザ光λ１用及びレーザ光λ２用として、それぞれ独立に出力調整用ボリュームＶＲλ１及びＶＲλ２を調整することができるため、調整範囲として共にＶＲ＝１．１ｋΩのときの出力電圧の０．７３〜２．２０倍の範囲で調整可能となる。
【００４９】
図２は、本発明の第２実施形態の光ピックアップ装置の概略構成を示す回路ブロック図である。図２において、図１と同一の部分には同一の符号を付し、その説明を省略する。また、図１と同様に、図２に示す光ピックアップ装置が有する出射光学系、受光光学系及びＡＰＣ回路１２、１２’は図１１と同一であるので図２への記載を省略している。
【００５０】
図２に示す光ピックアップ装置が図１に示す光ピックアップ装置と相違する点は、出力パワーモニタ用ユニット２０の調整端子１８ａ、１８ｂ間に出力調整用ボリュームＶＲλ１のみが接続され、出力電圧端子１６と基準電圧端子１７との間に出力調整用ボリュームＶＲλ２が接続されている点である。このような構成により、出力パワーモニタ用ユニット２０の出力電圧がそのまま調整後出力電圧Ｖｏλ１として出力されるとともに、出力パワーモニタ用ユニット２０の出力電圧を出力調整用ボリュームＶＲλ２にて分圧・減衰させて、調整後出力電圧Ｖｏλ２として出力される。
【００５１】
本実施例においては、レーザ光λ１側の最適化を行うために出力調整用ボリュームＶＲλ１を調整した後は、レーザ光λ２側への出力電圧最大値も固定されてしまうため、この固定された出力電圧以上は、調整後出力電圧Ｖｏλ２として取り出すことはできない。しかしながら、光ピックアップヘッド１３の光学系設計時に、レーザ光λ１側の光量は少なく、且つ、レーザ光λ２側の光量は多く受光できるように出力パワーモニタ用ユニット２０及び各光学部品等をレイアウトしておけば、出力調整用ボリュームＶＲλ１及びＶＲλ２の調整を行うことにより、最適な調整後出力電圧Ｖｏλ１及びＶｏλ２を得ることが可能となる。
【００５２】
このようにすると、ピックアップヘッド１３に搭載される部品点数を少なくすることができるので、ピックアップヘッド１３の設計上、電子部品を配置するスペースが少ない、受光量調整用の機構部品を設ける余裕もない等の問題発生時に、非常に有効に作用する。
【００５３】
図３は、本発明の第３実施形態の光ピックアップ装置の概略構成を示す回路ブロック図である。図３において、図２と同一の部分には同一の符号を付し、その説明を省略する。また、図２と同様に、図３に示す光ピックアップ装置が有する出射光学系、受光光学系及びＡＰＣ回路１２、１２’は図１１と同一であるので図３への記載を省略している。図３に示す光ピックアップ装置が図２に示す光ピックアップ装置と相違する点は、出力電圧端子１６からの出力電圧Ｖｏλ１を増幅した出力電圧Ｖｏλ２を生成する増幅回路部２１が設けられている点である。
【００５４】
図３に示す増幅回路部２１は、オペアンプ２１ａ、出力調整用ボリュームＶＲλ２、抵抗Ｒλ２、Ｒｆλ２から構成されている。オペアンプ２１ａの非反転入力端子（＋）は抵抗Ｒλ２を介して出力パワーモニタ用ユニット２０の出力電圧端子１６に接続され、オペアンプ２１ａの反転入力端子（−）と出力端子間に抵抗Ｒｆλ２が接続されている。また、オペアンプ２１ａの反転入力端子（−）と出力パワーモニタ用ユニット２０の基準電圧端子１７との間に出力調整用ボリュームＶＲλ２が接続されている。
【００５５】
このような構成により、レーザ光λ１側の最適化のために出力調整用ボリュームＶＲλ１を調整した後でも、出力電圧Ｖｏλ２の最大値は固定されず、出力調整用ボリュームＶＲλ２を調整することによって、出力電圧Ｖｏλ２の増減調整が広い範囲で可能となる。
【００５６】
図４は、本発明の第４実施形態の光ピックアップ装置の概略構成を示す回路ブロック図である。図４において、図３と同一の部分には同一の符号を付し、その説明を省略する。また、図３と同様に、図４に示す光ピックアップ装置が有する出射光学系、受光光学系及びＡＰＣ回路１２、１２’は図１１と同一であるので図４への記載を省略している。図４に示す光ピックアップ装置が図３に示す光ピックアップ装置と相違する点は、出力パワーモニタ用ユニット２０の出力電圧端子１６と基準電圧端子１７との間に出力調整用ボリュームＶＲλ２が接続され、出力電圧端子１６からの出力電圧Ｖｏλ１を出力調整用ボリュームＶＲλ２で分圧・減衰した分圧電圧を増幅した出力電圧Ｖｏλ２を生成する増幅回路部２１が設けられている点である。換言すれば、図４に示す光ピックアップ装置は、上述した第２実施形態と第３実施形態とを組み合わせた構成になっている。
【００５７】
図４に示す増幅回路部２１は、オペアンプ２１ａ、出力調整用ボリュームＶＲλ２’、抵抗Ｒλ２、Ｒｆλ２から構成されている。出力パワーモニタ用ユニット２０の出力電圧端子１６と基準電圧端子１７との間に接続された出力調整用ボリュームＶＲλ２から導出された電圧が抵抗Ｒλ２を介してオペアンプ２１ａの非反転入力端子（＋）に入力される。また、オペアンプ２１ａの反転入力端子（−）と出力端子間に抵抗Ｒｆλ２が接続され、オペアンプ２１ａの反転入力端子（−）と出力パワーモニタ用ユニット２０の基準電圧端子１７との間に出力調整用ボリュームＶＲλ２’が接続されている。
【００５８】
このような構成により、レーザ光λ１側の最適化のために出力調整用ボリュームＶＲλ１を調整した後でも、出力電圧Ｖｏλ２の最大値は固定されず、出力調整用ボリュームＶＲλ２及びＶＲλ２’を調整することによって、出力電圧Ｖｏλ２の増減調整が、増減調整範囲をよりいっそう拡大して可能となる。
【００５９】
図５は、本発明の第５実施形態の光ピックアップ装置の概略構成を示す回路ブロック図である。図５において、図４と同一の部分には同一の符号を付し、その説明を省略する。また、図４と同様に、図５に示す光ピックアップ装置が有する出射光学系、受光光学系及びＡＰＣ回路１２、１２’は図１１と同一であるので図５への記載を省略している。図５に示す光ピックアップ装置が図４に示す光ピックアップ装置と相違する点は、出力パワーモニタ用ユニット２０の出力電圧＋Ｖｏλ１から基準電圧Ｖｒｅｆに対し対称な出力電圧−Ｖｏλ１を作るための反転増幅回路部２３と、増幅回路部２１で増幅した出力電圧＋Ｖｏλ２から基準電圧Ｖｒｅｆに対し対称な出力電圧−Ｖｏλ２を作るための反転増幅回路部２４が搭載されている点である。
【００６０】
反転増幅回路部２３は、オペアンプ２３ａ、抵抗Ｒａ３、Ｒｂ３、Ｒｆ３から構成されており、オペアンプ２３ａの反転入力端子（−）が抵抗Ｒａ３を介して出力パワーモニタ用ユニット２０の出力電圧端子１６に接続されている。また、、オペアンプ２３ａの反転入力端子（−）と出力端子との間に抵抗Ｒｆ３が接続され、オペアンプ２３ａの非反転入力端子（＋）が抵抗Ｒｂ３を介して出力パワーモニタ用ユニット２０の基準電圧端子１７に接続されている。ここで、抵抗Ｒａ３、Ｒｆ３、Ｒｂ３は全て同じ抵抗値であるので、オペアンプ２３ａは増幅率１の反転増幅器となっている。
【００６１】
一方、反転増幅回路部２４は、オペアンプ２４ａ、抵抗Ｒａ４、Ｒｂ４、Ｒｆ４から構成されており、オペアンプ２４ａの反転入力端子（−）が抵抗Ｒａ４を介して増幅回路部２１のオペアンプ２１ａの出力端子に接続されている。また、、オペアンプ２４ａの反転入力端子（−）と出力端子との間に抵抗Ｒｆ４が接続され、オペアンプ２４ａの非反転入力端子（＋）が抵抗Ｒｂ４を介して出力パワーモニタ用ユニット２０の基準電圧端子１７に接続されている。ここで、抵抗Ｒａ４、Ｒｆ４、Ｒｂ４は全て同じ抵抗値であるので、オペアンプ２４ａは増幅率１の反転増幅器となっている。
【００６２】
このような構成により、出力電圧＋Ｖｏλ１から基準電圧Ｖｒｅｆに対し対称な出力電圧−Ｖｏλ１がオペアンプ２３ａの出力端子から出力され、この出力電圧＋Ｖｏλ１及び出力電圧−Ｖｏλ１が、レーザ光λ１側、即ち、半導体レーザ１側のＡＰＣ回路１２にフィードバックされる。また、同様に、出力電圧＋Ｖｏλ２から基準電圧Ｖｒｅｆに対し対称な出力電圧−Ｖｏλ２がオペアンプ２４ａの出力端子から出力され、この出力電圧＋Ｖｏλ２及び出力電圧−Ｖｏλ２が、レーザ光λ２側、即ち、半導体レーザ１’側のＡＰＣ回路１２’にフィードバックされる。
【００６３】
次に、このように基準電圧Ｖｒｅｆに対し対称な波形を出力する利点を、図６及び図７を用いて説明する。図６は図５に示す光ピックアップヘッド１３からＡＰＣ回路１２への信号伝達を示すブロック図であり、図７はその伝達される信号波形を示す波形図である。尚、わかりやすくするため、図６ではレーザ光λ１側、即ち、半導体レーザ１側のＡＰＣ回路１２についてのみ図示しているが、レーザ光λ２側、即ち、半導体レーザ１’側のＡＰＣ回路１２’についても全く同様である。
【００６４】
光ピックアップヘッド１３の出力端子Ａから出力された出力電圧＋Ｖｏλ１は、フレキシブルケーブル等の配線Ｌ１を通して、ＡＰＣ回路１２の入力端子Ｂに導かれる。ここで、配線Ｌ１の長さや、レイアウトの状態によっては、各種外来ノイズｎが矢印のように出力電圧＋Ｖｏλ１に混入しやすくなる。図７（ａ）に示す光ピックアップヘッド１３の出力端子Ａでの＋Ｖｏλ１波形は、伝送途中に外来ノイズｎが混入したとすると、図７（ｂ）に示すＡＰＣ回路１２の入力端子Ｂでの＋Ｖｏλ１波形のように、異なった波形になってしまう。この状態では、ＡＰＣ回路１２での正常なレーザ出力制御は望めない。
【００６５】
そこで、光ピックアップヘッド１３側に出力電圧＋Ｖｏλ１を基準電圧Ｖｒｅｆに対して対称にした波形出力の出力電圧−Ｖｏλ１を出力する出力端子Ａ’を設け、同時に、ＡＰＣ回路１２側に入力端子Ｂ’と差動演算器となるオペアンプ１２ａを設ける。そして、出力端子Ａ’と入力端子Ｂ’間を配線Ｌ１と同様の配線Ｌ２で接続する。このようにすると、出力端子Ａ’から出力された出力電圧−Ｖｏλ１は、出力電圧＋Ｖｏλ１の場合と同様に、伝送路中にて外来ノイズｎの影響を受ける。出力端子Ａ’での−Ｖｏλ１波形を図７（ｃ）に示し、入力端子Ｂ’での−Ｖｏλ１波形を図７（ｄ）に示す。
【００６６】
ここで、出力電圧＋Ｖｏλ１及び出力電圧−Ｖｏλ１は、外来ノイズｎから同様の影響を受けるので、図７（ｂ）及び図７（ｄ）に示したような波形の乱れ方、即ち、同出力・同位相のノイズ波形が正規波形に重畳した状態となる。よって、この二つの波形の差動演算をオペアンプ１２ａで行えば、同出力・同位相のノイズ波形はキャンセルして消失し、正規波形は２倍となって、今度はＶｒｅｆ基準ではなく、０Ｖを基準として出力される。図７（ｅ）にオペアンプ１２ａの出力端子Ｃでのオペアンプ１２ａの差動演算後の出力波形を示す。
【００６７】
これらをまとめると、上述したような対称波形を出力することにより、伝送路中でノイズの影響を受けても、その影響をキャンセルすることが可能となって、安定したＡＰＣ動作が可能となる。以上より、本実施例の効果は明らかで、レーザ光λ１側及びレーザ光λ２側どちらの場合でも、共に外来ノイズに強く、安定したレーザ出力制御を行うことが可能となる。
【００６８】
図８は、本発明の第６実施形態の光ピックアップ装置の概略構成を示す回路ブロック図である。図８において、図４と同一の部分には同一の符号を付し、その説明を省略する。また、図４と同様に、図８に示す光ピックアップ装置が有する出射光学系、受光光学系及びＡＰＣ回路１２、１２’は図１１と同一であるので図８への記載を省略している。図８に示す光ピックアップ装置が図４に示す光ピックアップ装置と相違する点は、出力パワーモニタ用ユニット２０の出力電圧端子１６に抵抗Ｒｄλ１が接続されている点と、増幅回路部２１のオペアンプ２１ａの出力端子に抵抗Ｒｄλ２が接続されている点である。このような構成により、抵抗Ｒｄλ１を介して出力電圧Ｖｏλ１が出力され、抵抗Ｒｄλ２を介して出力電圧Ｖｏλ２が出力される。
【００６９】
数十ＭＨｚ以上の高速信号に対応するオペアンプは、周波数特性を重視するため一般的には周波数特性を落とす位相補償回路等の付加が困難である。従って、立ち上がりの非常に早いパルス波形を出力する場合に、波形がリンギングやオーバーシュートによって乱される現象の発生が多々あり、この現象を防ぐため、オペアンプの出力近傍に抵抗を配置し、出力パルスの立ち上がり量を緩和する。本実施例では、出力パワーモニタ用ユニット２０の出力と、増幅回路部２１を構成するオペアンプ２１ａの出力端子の近傍に、数十〜２００Ω程度の抵抗Ｒｄλ１及びＲｄλ２を付加することによって、高速パルス波形でレーザ光が発光した場合でも、その波形に応じた正確な電圧波形出力を得ることが可能となる。
【００７０】
また、上述した本発明の各実施形態において、出力パワーモニタ用ユニット２０と各出力調整用ボリューム以外の電子回路部が集積化され、１つの部品として構成されていても構わない。更に、上述した本発明の各実施形態において、各出力調整用ボリューム以外の電子回路部は出力パワーモニタ用ユニット２０内に集積化され、１つの部品として構成されていても構わない。
【００７１】
また、上述した本発明の各実施形態において、各出力調整用ボリュームが精度の高い金属皮膜抵抗を用いて構成されていると、温度上昇による抵抗値の変化が少ないので、半導体レーザの出力パワーを安定制御するためにフィードバックされる各出力調整用ボリュームでの調整後の出力電圧の変動がなく、安定したＡＰＣ動作を行うことができる。
【００７２】
また、上述した本発明の各実施形態は、図１０に示すように、光源である半導体レーザ１と信号検出素子１０とが分離して構成された光ピックアップ装置を例に説明したが、光源と信号検出素子が一体となった受発光ユニットを用い、出射光学系と受光光学系が一体で構成された光ピックアップ装置においても本発明は適用可能である。
【００７３】
図９は、そのような光ピックアップ装置の概略構成を示す系統図である。図９において、図１０と同一の部分には同一の符号を付している。図９に示す光ピックアップ装置は、図１０に示す半導体レーザ１の代わりに、光源と信号検出素子が一体となった受発光ユニット２５を用いて光ピックアップヘッド１３の光学系を構成している。即ち、受発光ユニット２５内の光源から出射した光ビームはコリメータレンズ２により平行光にされる。その後、光ビームは立ち上げミラー５によって光ディスク７の方向に導かれ、対物レンズ６によって光ディスク７の情報記録面上に集光されて、規定の大きさのビームスポットを形成する。光ディスク７の情報記録面上に集光された光ビームは、光ディスク７によって反射され、対物レンズ６、立ち上げミラー５、コリメータレンズ２を介して受発光ユニット２５に戻り、受発光ユニット２５内の受光部にて信号検出される。このような光学系構成の光ピックアップ装置においても、本発明は適用可能である。
【００７４】
【発明の効果】
以上のように、本発明によると、光源から出射される光ビームを情報記録媒体に照射する出射光学系と、前記情報記録媒体から反射される光ビームを受光する受光光学系が構成され、前記光源から出射される光ビームの一部を受光し受光量に応じた電気信号を出力する光検出部と、前記電気信号に基づいて前記光源の出力パワーを個別に自動制御する自動出力制御回路部を備える光ピックアップ装置において、光源である半導体レーザを複数個有した場合でも、光ピックアップヘッドへ搭載する前記光検出器である出力パワーモニタ用ユニットを１つにして光ピックアップ装置の小型化・薄型化・軽量化を図るとともに、各半導体レーザの出力パワーを制御するための出力信号の調整範囲を広げ、各々の半導体レーザについて安定したＡＰＣ動作を行うことのできる光ピックアップ装置を提供することが可能となる。
【図面の簡単な説明】
【図１】は、本発明の第１実施形態の光ピックアップ装置の概略構成を示す回路ブロック図である。
【図２】は、本発明の第２実施形態の光ピックアップ装置の概略構成を示す回路ブロック図である。
【図３】は、本発明の第３実施形態の光ピックアップ装置の概略構成を示す回路ブロック図である。
【図４】は、本発明の第４実施形態の光ピックアップ装置の概略構成を示す回路ブロック図である。
【図５】は、本発明の第５実施形態の光ピックアップ装置の概略構成を示す回路ブロック図である。
【図６】は、図５に示す光ピックアップヘッドからＡＰＣ回路への信号伝達を示すブロック図である。
【図７】は、図６に示す回路の信号波形を示す波形図である。
【図８】は、本発明の第６実施形態の光ピックアップ装置の概略構成を示す回路ブロック図である。
【図９】は、出射光学系と受光光学系が一体で構成された光ピックアップ装置の概略構成を示す系統図である。
【図１０】は、従来のフロントモニタ方式を採用した光ピックアップ装置の概略構成を示す系統図である。
【図１１】は、従来の半導体レーザを２個有した光ピックアップ装置の概略構成を示す系統図である。
【図１２】は、出力パワーモニタ用ユニットの概略構成を示す回路ブロック図である。
【符号の説明】
１、１’    半導体レーザ
２、２’    コリメータレンズ
３、３’    ビームスプリッタ
４    １／４波長板
５    立ち上げミラー
６    対物レンズ
７    光ディスク（情報記録媒体）
８    集光レンズ
９    シリンドリカルレンズ
１０    信号検出素子
１１、１１’    フロントモニタ用光検出器
１２、１２’    ＡＰＣ回路（自動出力制御回路部）
１３    光ピックアップヘッド
１４    受光部
１４ａ    フォトダイオード
１５    電気信号変換部
１５ａ、１５ｂ、２１ａ、２３ａ、２４ａ    オペアンプ
１６    出力電圧端子
１７    基準電圧端子
１８ａ、１８ｂ    調整端子
１９    インバータ回路
２０    出力パワーモニタ用ユニット
２１    増幅回路部
２３、２４    反転増幅回路部
２５    受発光ユニット
ＶＲλ１、ＶＲλ２、ＶＲλ２’    出力調整用ボリューム
ＳＷλ１、ＳＷλ２    電子スイッチ
Ｒ１、Ｒ２、Ｒｆ１、Ｒｆ２、Ｒλ２、Ｒｆλ２、Ｒａ３、Ｒｆ３、Ｒｂ３、Ｒａ４、Ｒｆ４、Ｒｂ４、Ｒｄλ１、Ｒｄλ２    抵抗
【図１】
2004342278.tif 000003
【図２】
2004342278.tif 000004
【図３】
2004342278.tif 000005
【図４】
2004342278.tif 000006
【図５】
2004342278.tif 000007
【図６】
2004342278.tif 000008
【図７】
2004342278.tif 000009
【図８】
2004342278.tif 000010
【図９】
2004342278.tif 000011
【図１０】
2004342278.tif 000012
【図１１】
2004342278.tif 000013
【図１２】
2004342278.tif 000014